Podtech/llm-jp-corpus-v4-ja_patent huggingface dataset:
(57)【要約】【課題】  夜間警備等においてみまわりをする際に警棒などをした状態で懐中電灯を持ちながら見回りをしていて危険を伴っていた。単身応戦した場合、撃退したり捕獲する事は非常に危険を伴い技術的に難しい事である。その際、泥棒等に武器を所有している事を悟られる事無くスタンガン機能を使用する事により泥棒等と応戦した際の安全性が向上するものであり、前述の欠点を解決する道具を考案するものである。【解決手段】  スタンガンの先端にキャップを取付ける事によりスタンガン威力を損なう事無く懐中電灯にカモフラージュし泥棒等の警戒心下げ夜間警備時の安全性を向上し問題点を解決している。【選択図】図１
0003125608.tif 000002
【実用新案登録請求の範囲】
【請求項１】
スタンガン本体１の先端部分の電極５を覆い被せるようにキャップ６を取付け、通常はスイッチ４により電球７に電流を流し懐中電灯として機能し、非常時においては先端のキャップをはずし、安全ピン２をスタンガン本体１に差込、スイッチ３を入れなお且つスイッチ４を押す事によりスタンガン本体内部より発生した高電圧電流を電極５より放出することを特徴とし充電プラグ８により充電機能を有する懐中電灯機能付スタンガン。
【考案の詳細な説明】
【技術分野】
【０００１】  本項案は、従来のスタンガンに懐中電灯の機能を設けたスタンガン関するものである。
【背景技術】
【０００２】  夜間警備等において懐中電灯を持ち警棒などを携帯した状態で見回りをして非常に危険を伴っていた。
【考案の開示】
【考案が解決しようとする課題】
【０００３】  夜間警備等において泥棒等進入者に遭遇した際に、警棒等で単身応戦した場合、撃退したり捕獲する事は非常に危険を伴い技術的に難しい事である。従って、懐中電灯にスタンガンの機能を設ける事で、泥棒等と遭遇した際の危険度を大幅に減少させるものである。泥棒等に夜間警備者側が武器を携帯している事を悟られることなく使用する事が出来、武器を携帯している状態よりも泥棒等の警戒心を下げる効果があり安全性が向上するものである。
【課題を解決するための手段】
【０００４】  本項案は、スタンガンの先端にライトを設けなを且つカバーを設けたことにより、常に武器を携帯しているのにもかかわらず、泥棒等の警戒心を最小限に押さえながら警備をする事が出来る事により問題点を解決している。
【考案の効果】
【０００５】  上記のように、本考案の懐中電灯付きスタンガンは従来のスタンガンのように泥棒等を取り押さえることはもちろん、夜間警備での安全性を向上させる事が出来る。
【考案を実施するための最良の形態】
【０００６】  夜間警備時通常は懐中電灯として使用し、物音等異常を感じた時に先端部分のキャップをはずし、スタンガンとしての機能を使用する事が出来、泥棒等不審者との遭遇に際し対応する事が出来る。
【実施例】
【０００７】  以下、添付図面に従って一実施例を説明する。１はプラスティック等適宣素材で形成されたスタンガン本体。５は電極で、本体内部より高電圧電流を放出する。６はキャップでスタンガンの電極を覆う事によりスタンガンをカモフラージュし懐中電灯のように思わせる事が出来る。【０００８】  ２は安全ピン及び３．４スイッチは誤作動防止に有効である。【０００９】  ７は電球で通常はここからの光源で懐中電灯の役割を果たす。
【図面の簡単な説明】
【００１０】
【図１】  本考案のスタンガン付懐中電灯の一実施例を示す正面図である。
【符号の説明】
【００１１】  １  スタンガン本体
２  安全ピン
３  スイッチ
４  スイッチ
５  電極
６  キャップ
７  電球
８  充電用プラグ及び充電器
【図１】
0003125608.tif 000003
(57)【要約】【課題】調剤で半端な数をヒートシール薬剤から切り取る場合、ハサミの入れる回数を減らす事が出来る。【解決手段】従来のハサミの先端を９０度に曲げたものを作る。【選択図】図１
0003125605.tif 000002
【実用新案登録請求の範囲】
【請求項１】
先端を直角に曲げたハサミ
【考案の詳細な説明】
【技術分野】
【０００１】本考案は、薬剤調剤時、日数分のヒートシール薬剤を取り整える時、半端が出来た場合、ハサミで切り取る。その時ハサミを入れる回数を減らす為に先端を直角に曲げた調剤用ハサミである。
【背景技術】
【０００２】今まで先端を９０度に曲げた調剤用ハサミがなかった。
【考案の開示】
【考案が解決しようとする課題】
【０００３】調剤時、ヒートシール薬剤の半端を切り取る時、ハサミの入れる回数を減らす為の考案である。
【課題を解決するための手段】
【０００４】ハサミの先端を９０度に曲げたものを作る。
【考案の効果】
【０００５】従来のハサミよりハサミを入れる回数が減り、調剤が容易になる。
【図面の簡単な説明】
【０００６】
【図１】ハサミ本体と曲げた部分を示した平面図である。
【図２】ハサミ本体と曲げた部分を示した傾斜図である。
【符号の説明】
【０００７】１、ハサミ本体
２、曲げた部分
【図１】
0003125605.tif 000003
【図２】
0003125605.tif 000004
(57)【要約】【課題】牛や馬をおとなしくさせる必要のあるときに時間を掛けず、口内に素早く押し込める口枷具を提供する。【解決手段】ロッド１の先を釣針型に折り曲げ、その釣針形フック２の先端に牛や馬などの口内に嵌めこむ挿入片３を設け、他端側のロッド１の先にはロープ５を通すリング４を設けたものであり、そして具体的には前記ロッド１が長さ約２５ｃｍほどで直径が６ｍｍ〜１０ｍｍ位であり、そのロッド１の下から長さ約３ｃｍ〜４ｃｍのところを約３０度に折り曲げて釣針型のフック状にし、そのフック２の先端に長さ約１０ｃｍ、横約５ｃｍ、厚さ約５ｍｍの靴べら型の挿入片３を取付けると共に、折り曲げ部１ａから上方へ約２０ｃｍほどのロッド１の先端にロープ５を通す直径約１５ｍｍほどのリング４を取付けた。【選択図】図１
0003125657.tif 000002
【実用新案登録請求の範囲】
【請求項１】
ロッド（１）の先を釣針型に折り曲げ、その釣針形フック（２）の先端に牛や馬などの口内に嵌めこむ挿入片（３）を設け、他端側のロッド（１）の先にはロープ（５）を通すリング（４）を設けた牛や馬など家畜の口枷具。
【請求項２】
前記ロッド（１）が長さ約２５ｃｍほどで直径が６ｍｍ〜１０ｍｍ位であり、そのロッド（１）の下から長さ約３ｃｍ〜４ｃｍのところを約３０度に折り曲げて釣針型のフック状にし、そのフック（２）先端に長さ約１０ｃｍ、横約５ｃｍ、厚さ約５ｍｍの靴べら型の挿入片（３）を取付けると共に、折り曲げ部（１ａ）から上方へ約２０ｃｍほどのロッド（１）の先端にロープ（５）を通す直径約１５ｍｍほどのリング（４）を取付けた請求項１記載の牛や馬など家畜の口枷具。
【請求項３】
前記ロッド（１）の材質を鉄またはステンレスなどの金属材料か、または鉄ほどの剛性のある強化プラスチックとした請求項１または請求項２記載の牛や馬など家畜の口枷具。
【考案の詳細な説明】
【技術分野】
【０００１】
牛や馬など家畜をおとなしくさせるための口内に挿入する口枷具に関する。
【背景技術】
【０００２】
従来、牛の種付け、除角、削蹄、初乳時、去勢、発情、シャンプなどの際、牛や馬をおとなしくさせる必要のあるときは、太いロープでこぶし大のこぶを造り、それを口枷のように口に噛ませておとなしくさせていた。然しながらロープを口の中に無理やりおしこむときに牛、馬が嫌がり縛り付けて作業をせねばならず時間も懸かりまた危険でもあった。
【考案の開示】
【考案が解決しようとする課題】
【０００３】
牛や馬をおとなしくさせる必要のあるときに時間を掛けず、口内に素早く押し込める口枷具を提供する。
【課題を解決するための手段】
【０００４】
本考案の牛や馬など家畜の口枷具は、ロッド１の先を釣針型に折り曲げ、その釣針形フック２の先端に牛や馬などの口内に嵌めこむ挿入片３を設け、他端側のロッド１の先にはロープ５を通すリング４を設けたものであり、そして具体的には前記ロッド１が長さ約２５ｃｍほどで直径が６ｍｍ〜１０ｍｍ位であり、そのロッド１の下から長さ約３ｃｍ〜４ｃｍのところを約３０度に折り曲げて釣針型のフック状にし、そのフック２の先端に長さ約１０ｃｍ、横約５ｃｍ、厚さ約５ｍｍの靴べら型の挿入片３を取付けると共に、折り曲げ部１ａから上方へ約２０ｃｍほどのロッド１の先端にロープ５を通す直径約１５ｍｍほどのリング４を取付けたものである。
【０００５】
また前記ロッド１の材質を鉄またはステンレスなどの金属材料か、または鉄ほどの剛性のある強化プラスチックとしたこと等を特徴としている。
【考案の効果】
【０００６】
金属製の靴べら型挿入片を牛や馬の口内に押し込み、リングに通したロ−プを家畜の角または首に掛けて引き込むことで挿入片が口中にあってしっかりと家畜の口を押さえ込むので牛や馬は動かなくなり安全で素早い安全で素早い種付け、除角、削蹄などの作業が行なうことが出来る。
【考案を実施するための最良の形態】
【０００７】
牛や馬をおとなしくさせるための口枷具は、ロッドの先をフック形に折り曲げ、そのフックの先に牛や馬などの口内に嵌めこむ靴べら型の挿入片を設け、他端側のロッドの先にはロープを通すリングを設けた。そしてこの口枷具の挿入片を牛や馬など口内に嵌めこみ、リングに通したロ−プを家畜の角または首に掛けて引き込むことでフックの先の挿入片が口中にあってしっかりと家畜の口を押さえ込むので牛や馬は動かなくなる。
【実施例】
【０００８】
本考案の牛、馬をおとなしくさせるための口枷具は、図１に示すように金属製のロッド１の先を釣針型に折り曲げ、その釣針形フック２の先端に牛や馬などの口内に嵌めこむ靴べら型の挿入片３を設け、他端側のロッド１の先にはロープ５を通すリング４を設けたものである。
【０００９】
詳述すれば、長さ約２５ｃｍほどで直径が６ｍｍ〜１０ｍｍ位の鉄またはステンレスなど金属製のロッド１を下から長さ約３ｃｍ〜４ｃｍのところで約３０度（レ字形）に折り曲げて釣針型のフック状にし、そのフック２の先端に長さ約１０ｃｍ、横約５ｃｍ、厚さ約５ｍｍの靴べら型の挿入片３を溶接にて取付ける。そして折り曲げ部１ａから上方約２０ｃｍほどのロッド１の先端にロープ５を通すための直径約１５ｍｍのリング４を溶接にて取付ける。尚、材質は鉄またはステンレスなど金属材料で作るか、または鉄ほどの剛性のある強化プラスチックで作るのが望ましい。通常硬度のプラスチック、または硬い木材の場合、牛や馬が口中で噛み砕き、飲み込む恐れがあるためである。
【００１０】
本考案の口枷具を使用する場合は、図２に示すように靴べら型の挿入片３を牛や馬など家畜の口内に嵌めこみ、リング４に通したロ−プ５を家畜の角または首に掛けて引き込む。するとフック２の先の挿入片３が口中にあってしっかりと口を押さえ込むので牛や馬など家畜は動かなくなり安全で、素早い種付け、除角、削蹄などの作業が行なうことが出来る。
【図面の簡単な説明】
【００１１】
【図１】本考案の口枷具の斜視図である。
【図２】図１の口枷具を牛の口の中へ挿入した状態説明図である。
【符号の説明】
【００１２】
１  ロッド
２  フック
３  挿入片
４  リング
５  ロープ
【図１】
0003125657.tif 000003
【図２】
0003125657.tif 000004
(57)【要約】      （修正有）【課題】電気敷き布団により起こる低温熱傷害を防止する。【解決手段】布状電気抵抗発熱体（２）から放射する輻射熱が連続線状のランダムループを３次元スプリング構造にした緩衝材（１）の空気層を介して体に効率よく照射することが出来、熱溜まりや、蒸れを無くし低温熱傷害を防ぐことが出来る。また布状電気抵抗発熱体（２）を体に合わせて照射する場所を自由に選択できるので、効率よく加温することが出来る。下部に保温材（３）を敷く事により布状電気抵抗発熱体（２）の発熱温度を保温し消費電力を削減できる。【選択図】図１
0003125626.tif 000002
【実用新案登録請求の範囲】
【請求項１】
保温用マット（３）を敷き、その上に布状電気抵抗発熱体（２）を目的の箇所に置き、その上に連続線条のランダムループを３次元スプリング構造にした緩衝材（１）を設け、布状電気抵抗発熱体の電源コード（４）を介して通電して加温する。
以上の用に構成された、低温熱傷害を防ぐ電気敷き布団。
【考案の詳細な説明】
【考案の詳細な説明】
【技術分野】
【０００１】この考案は、連続線条のランダムループを３次元スプリング構造化した緩衝材により出来る空気層を通して布状電気抵抗発熱体が放射する輻射熱により加温する事で低温熱傷害を防止する事が出来る。
低温熱傷害を防ぐ電気敷き布団に関するものである。
【背景技術】
【０００２】従来、電気敷き布団は主に伝導熱による加温方法で就眠時の長時間加温すると熱溜まりや蒸れが起き体調不良や低温熱傷害を起こしている。
【考案が解決しようとする課題】
【０００３】本案は、その欠点を無くして、低温熱傷害を防ぎ安全に、必要な箇所のみ保温が出来、かつ効率的に少ない電力で無駄なく人体を暖める事が出来る電気敷き布団を開発しようとするものである。
【課題を解決するための手段】
【０００４】その解決方法は、布状電気抵抗発熱体（２）と人体の間に連続線条のランダムループを３次元スプリング構造にした緩衝材（１）がつくる空気層を通して、布状電気抵抗発熱体（２）から放射する輻射熱により、人の体温に近い温度（３６〜４０℃）で加温することにより、熱溜まりや蒸れをなくして、低温熱傷害の危険から人体を守ることが出来る。
布状電気抵抗発熱体は体躯に良くなじみ、加温時の違和感を無くし、安心して心地よく加温することが出来る。
加温部位に合わせて、布状電気抵抗発熱体を移動できることで加温効果を高め、無駄を無くし、少ない電力による加温を可能にする。
【考案を実施するための最良の形態】
【０００５】本案は、以上のような構造であり、使用するときは家庭用電気敷き布団として安全に、安心して心地よく使用できる。【０００６】敷き布団と同様に敷き、所定の位置に設置した発熱体の電源コード（４）を介して通電し、布状電気抵抗発熱体（２）の輻射熱を使用して設定の温度に保ち、体躯に合わせて加温することで、低温根傷害を防ぎ心地よい睡眠を得ることが出来る。
【考案の効果】
【０００７】したがって、低温熱傷害を防ぐ電気敷き布団として安全に使用する事が出来、かつ、寝具として興味深い睡眠補助用具である。
【図面の簡単な説明】
【図１】本考案の平面図である
【図２】本考案の布状電気抵抗発熱体平面図
【図３】本考案の部分断面図
【符号の説明】
１  緩衝材、
２  布状電気抵抗発熱体、
３  保温材、
４  電源コード
【図１】
0003125626.tif 000003
【図２】
0003125626.tif 000004
【図３】
0003125626.tif 000005
(57)【要約】      （修正有）【課題】本考案は、昆虫飼育環境をより豊かにすることにより自然に近い環境のもと観察をすることができる昆虫ゼリー取付金具を提供する。【解決手段】本考案は、Ｌ型金具に昆虫ゼリー備え付け部分１を設けることにより従来設置が困難であった部分にステンレス製木ネジ２を使って取り付けることにより可能になります。【選択図】図１
0003125630.tif 000002
【実用新案登録請求の範囲】
【請求項１】
ステンレススチール素材のリング状のプレートにＬ型の金具を組み合わせ、取付ける際に木ネジを使用する為に必要な穴が空いている昆虫ゼリー取付金具です。
【考案の詳細な説明】
【技術分野】
【０００１】本考案は、昆虫ゼリーを木々などに備え付ける為の金具に関するものである。
【背景技術】
【０００２】飼育ケースの中に土を引き、その上へ昇り木などを置きそこえ昆虫ゼリーや蜜などを与えていた。
【考案の開示】
【考案が解決しようとする課題】
【０００３】従来の昆虫飼育環境と自然環境とは異なる為、生体への負担も大きいものである。従って昆虫ゼリーとこれを備え付ける金具によって、より自然な形の飼育・観察に近づけようとするものである。
【課題を解決するための手段】
【０００４】昆虫ゼリーを金具に備え付け生体の種類によって望ましい位置に餌を取り付けることにより問題点を解決している。
【考案の効果】
【０００５】昆虫ゼリーが倒れて土まみれ・クヌギまみれになることもなく、ゼリーの交換を簡単・短時間で出来ます。その為に、それが腐ってコバエ等の発生を防ぎます。また、素材をステンレススチールを用いることにより、フンなどが付着して劣化することもなく、より衛生的に飼育・観察が出来ます。
【考案を実施するための最良の形態】
【０００６】昆虫の生態環境に望ましいと思われる位置に設置し、より最適な環境を飼育ケースの中で作ります。
【実施例】
【０００７】以下、添付図面に従って一実施例を説明する。１は耐久性に優れたステンレススチール素材のゼリー備え付け部分、２は木などと金具を取付ける為の木ネジ、３は金具を木ネジで取付ける為の穴。
【産業上の利用可能性】
【０００８】金具を取付ける際に取付けたい位置へマジックなどでマーキングし、堅い木などの場合は決めた位置にキリなどで、ネジ込みやすいように跡をつける。そこへ２をドライバーを使って３に通してネジ込む。また、少々角度や向きなどが決まらない場合は１を手でつまみ微調整する。
【図面の簡単な説明】
【０００９】
【図１】本考案の昆虫ゼリー取付部
【図２】昆虫ゼリー取付け穴部
【符号の説明】
【００１０】１．昆虫ゼリー取付部
２．ステンレススチール製木ネジ
３．取付け穴
【図１】
0003125630.tif 000003
【図２】
0003125630.tif 000004
(57)【要約】【課題】  本考案は、主に不特定多数の人が運転する自動車におけるハンドルの衛生面を向上させ、これによって、運転者の不快感を排除し安全な運行を実現する使い捨てハンドルカバーを提供するものである。【解決手段】  自動車のハンドルに重ね合わせた合成樹脂製カバーを被覆し、その合成樹脂製カバーを１枚ずつ剥がすことにより清潔性を回復させる。【選択図】図１
0003125618.tif 000002
【実用新案登録請求の範囲】
【請求項１】
ハンドルを覆うためのカバー体であって、該カバー体には少なくとも２枚以上のカバーが重なっていることを特徴とするハンドルカバー。
【請求項２】
カバー体を少なくとも１枚以上剥がすことにより清潔性を復元させる請求項１に記載のハンドルカバー。
【請求項３】
それぞれのカバーが僅かにずれて重なっている請求項１又は請求項２に記載のハンドルカバー。
【考案の詳細な説明】
【技術分野】
【０００１】  本考案は、自動車のハンドルのカバーに関する。
【背景技術】
【０００２】  従来の自動車のハンドルカバーは、美観や操作性の向上を目的としているものである。
【考案の開示】
【考案が解決しようとする課題】
【０００３】  しかしながら、上記従来のハンドルカバーにおいては、衛生面については考慮されていなかった。
【課題を解決するための手段】
【０００４】  本考案の使い捨てハンドルカバーは自動車のハンドルに少なくとも２枚以上重ね合わせた合成樹脂製カバーを被覆し、その合成樹脂製カバーを少なくとも１枚以上剥がすことにより清潔性を回復させ、これにより上記課題を解決するものである。
【考案を実施するための最良の形態】
【０００５】  図２によりステアリングホイール２の長さ方向に重ね合わせた使い捨てハンドルカバー１を被覆する。【０００６】  図５のように使い捨てハンドルカバーを僅かずつずらして重ねることにより、ステアリングホイールに装着した際に図５の使い捨てハンドルカバーの接合部分３及び図６の拡大接合部分４が１枚下の使い捨てハンドルカバーに接着しなくなり、２枚同時に剥がしてしまうことを防止するとともに、容易に剥がすことを可能にした。【０００７】  上記工程により完成した使い捨てハンドルカバーは、使用中に汚れて取り替える場合には、ハンドルカバーを１枚剥がすことにより新しい面が現れ清潔な面を復元することができる。
【考案の効果】
【０００８】  本考案は、以上のように形成したので、汚れた場合でも清潔な面をすみやかに復元できることから、清潔感に富み不快感がないハンドルカバーを提供することができる。
【図面の簡単な説明】
【０００９】
【図１】  本考案の使い捨てハンドルカバーをステアリングホイールに装着する以前の状態である。
【図２】  本考案の使い捨てハンドルカバーをステアリングホイールに装着後の正面図である。
【図３】  本考案の使い捨てハンドルカバーをステアリングホイールに装着後の側面断面図である。
【図４】  本考案の使い捨てハンドルカバーをステアリングホイールに装着後の拡大断面図である。
【図５】  本考案の使い捨てハンドルカバーをステアリングホイールに装着する以前の平面図である。
【図６】  図５の側面図である。
【図７】  本考案の使い捨てハンドルカバーをステアリングホイールに装着する際のハンドルカバーの接合部分の拡大図である。
【符号の説明】
【００１０】  １・・・使い捨てハンドルカバー
２・・・ステアリングホイール
３・・・使い捨てハンドルカバーの接合部分
４・・・使い捨てハンドルカバーの拡大接合部分
【図１】
0003125618.tif 000003
【図２】
0003125618.tif 000004
【図３】
0003125618.tif 000005
【図４】
0003125618.tif 000006
【図５】
0003125618.tif 000007
【図６】
0003125618.tif 000008
【図７】
0003125618.tif 000009
(57)【要約】【課題】光沢のある金属箔押しとエンボス箔押しにて装飾パネルの質量感と装飾効果を発揮する装飾パネルを提供する。【解決手段】同一の金属箔にて光沢のある金属箔２とエンボス箔３の２種類の箔模様を透明アクリル樹脂板の裏面に箔押してなる透明アクリル樹脂板１の箔押し面側に透明接着層４とシルク印刷層６とで形成された透明フイルム５を貼り合わせた構成の装飾効果を増大させた装飾パネルである。【選択図】図１
0003125616.tif 000002
【実用新案登録請求の範囲】
【請求項１】
同一の金属箔にて光沢のある金属箔とエンボス箔の２種類の箔模様を透明アクリル樹脂板の裏面に箔押してなる透明アクリル樹脂板の箔押し面側に、透明接着層とシルク印刷層とで形成された透明フイルムを貼り合わせた構成の装飾パネル。
【考案の詳細な説明】
【技術分野】
【０００１】  本考案は、パチスロ機等の遊技機や玩具などに使用する装飾パネルに関するものである。
【背景技術】
【０００２】  一般的なパチスロ機の装飾パネルにて装飾効果を上げるために、金属箔又はホログラム箔にて模様を樹脂基板又は透明特殊フイルムや色々な図柄や模様の印刷紙に箔押しして貼り合わせ、金属光沢を表現し図柄を楽しませる装飾パネルであった（特許文献１の透明板挟持型装飾パネルおよび特許文献２の化粧板）。【０００３】
【特許文献１】  特開２００３−２０５０７９号公報
【特許文献２】  実開平５−８５６３１号公報
【考案の開示】
【考案が解決しようとする課題】
【０００４】  上記特許文献１の透明板挟持型装飾パネルおよび特許文献２の化粧板では、金属箔押しでは金属箔のみの表現であって、光沢面とエンボス面による立体感のある光の質量感を表現することが出来なかった。
【課題を解決するための手段】
【０００５】  本考案の装飾パネルは、同一の金属箔にて光沢のある金属箔とエンボス箔の２種類の箔模様を透明アクリル樹脂板の裏面に箔押してなる透明アクリル樹脂板の箔押し面側に、透明接着層とシルク印刷層とで形成された透明フイルムを貼り合わせた構成で、輝きのある光沢面とエンボス効果による光の拡散の２面による対比にて、より光の深みの質量感をシルク印刷上に引き出し装飾効果を増大するものである。
【考案の効果】
【０００６】  本考案の装飾パネルは、アクリル樹脂板上の箔押し層をメタリック箔・カラー箔又はホログラム箔で、光沢のある金属箔と拡散効果のエンボス箔を模様押しすることができるので、シルク印刷と箔の光沢面とエンボス面にて装飾効果を発揮させ、さらに、ホール内で他機器の外部光を照射されることにより、又は、レーザー光線を当てる事によりエンボス箔の乱反射と輝きのある金属光によりシルク印刷を３次元の深みのある画像に作り出すなどの効果がある。
【考案を実施するための最良の形態】
【０００７】  図１および図２を参照して本考案の実施形態を以下、説明する。【０００８】  透明度の良い２ｍｍ〜５ｍｍの透明アクリル樹脂板１の裏面に、文字・図柄・模様などを構成する光沢のある箔押し版（図示せず）とエンボス箔押し版（図示せず）を同一な金属箔に押し当てて、光沢のある金属箔２とエンボス箔３が箔押しされる。シルク印刷層６のある透明フイルム５を透明接着層４により透明アクリル樹脂板１の箔押し面側に貼り合せた構成の装飾パネルである。
【実施例】
【０００９】  本考案の透明アクリル樹脂板１には、文字、図柄、模様を構成する光沢のある金属箔２とエンボス箔３が熱転写により箔押しされている。箔押しとは、熱を加えた版で箔をアクリル透明版に押し当てることにより箔を転写する方法であって、一般に１６０度〜２１０度の温度にて数秒圧を加えることにより行なわれている。【００１０】  そしてシルク印刷層６と透明接着層４が構成されたフイルム５を透明アクリル樹脂板１の箔押しされた面に貼り合せることにより装飾効果を増大した装飾パネルとなる。【００１１】  本考案はエンボス箔押しにより、エンボスの凹凸がレンズ作用などを生じさす為、この凹凸がある領域に入射した光は乱反射し、凹凸が無い領域に入射した光は全反射するのでその他の部分に対して浮き出た様が表現され、模様をつくりだし、立体感が一層つよくなる。そして外部光により色相を変える装飾効果を発揮させる事が出来るという利点を生んだ。
【図面の簡単な説明】
【００１２】
【図１】実施形態の装飾パネルの工程構造を示す断面図である。
【図２】実施形態の装飾パネルの構成を示す断面図である。
【符号の説明】
【００１３】１  透明アクリル樹脂板
２  光沢のある金属箔
３  エンボス箔
４  透明接着層
５  透明フイルム
６  シルク印刷層
【図１】
0003125616.tif 000003
【図２】
0003125616.tif 000004
(57)【要約】【課題】  本考案は、風が強く吹いても洗濯物を吊り下げたハンガーが物干し竿から落下することを防ぐことができ、また、ハンガーが物干し竿上をスライド移動することが無い為、ハンガー同士の間隔を維持することができて洗濯物を効率的に乾かすことができる、ハンガー掛け付き洗濯バサミを提供するものである。【解決手段】  物干し竿等を挟み込むことのできる洗濯バサミ本体と、この洗濯バサミ本体にハンガーのフック部を掛けることのできる空間を設けている突起部分を設けていることを特徴としている。【選択図】図１
0003125620.tif 000002
【実用新案登録請求の範囲】
【請求項１】
物干し竿等を挟み込むタイプの洗濯バサミであって、洗濯バサミの物干し竿を挟み込む部分の下部に空間を設けることによって、そこにハンガーのフック部を掛け、ハンガーを固定してつるすことができる洗濯バサミ。
【考案の詳細な説明】
【技術分野】
【０００１】  本考案は、物干し竿等を挟み込むタイプの洗濯バサミであって、その物干し竿を挟み込む部分の下部に、洗濯物を吊り下げたハンガーのフック部を掛けておくことができる空間を設けた、ハンガー掛け付き洗濯バサミに関する。
【背景技術】
【０００２】  ハンガーに洗濯物を吊り下げて物干し竿に干す場合、ハンガーのフック部を物干し竿に引っ掛けて係止させている。
しかし、前記ハンガーのフック部は物干し竿に引っ掛かっているだけである為、風が強い場合はハンガーが物干し竿から落下し、洗濯し直さなければならないという不具合が生じる。また、ハンガーのフック部が物干し竿をスライド移動してしまい、その結果、洗濯物同士がかたまった状態になり洗濯物が乾き難くなる不具合が生じる場合もある。
【考案の開示】
【考案が解決しようとする課題】
【０００３】  本考案は、風が強く吹いても洗濯物を吊り下げたハンガーが物干し竿から落下することを防ぐことができ、また、ハンガーが物干し竿をスライド移動することが無い為、ハンガー同士の間隔を維持することができて洗濯物を効率的に乾かすことができる、ハンガー掛け付き洗濯バサミを提供するものである。
【課題を解決するための手段】
【０００４】  請求項１の考案は、物干し竿等を挟み込むことのできる洗濯バサミ本体と、図１のように、この洗濯バサミ本体にハンガーのフック部を掛けることのできる空間を設けていることを特徴としている。
【考案の効果】
【０００５】  ハンガーに吊り下げた洗濯物を干す際には、ハンガーのフック部を洗濯バサミに設けた空間に吊り下げることによって、物干し竿上でハンガーを固定することができる為、風が吹いてもハンガーが落下したりする不具合を防ぐことができ、また洗濯物を一定の間隔で干すことができる。
また、ハンガーを固定する必要がなければ、普通の洗濯バサミとして使用できる。
【考案を実施するための最良の形態】
【０００６】  以下、本考案の実施の形態を図面に基づき説明する。【０００７】  図１−１０、図２−１０に示すように、このハンガー掛け付き洗濯バサミは、物干し竿を挟み込むことのできるタイプの洗濯バサミで、洗濯バサミの物干し竿を挟み込む部分の下部に空間を設けた突起部分を有しているものである。【０００８】  上記の空間の図１−１１の空間にハンガーのフック部を掛けることによって、ハンガーを固定することが可能である。【０００９】  この洗濯バサミをハンガー固定目的で使用しない際には、洗濯物をかけた物干し竿をはさむタイプの洗濯バサミとして使用できる形状を要する。【００１０】  以上、本考案の実施するための最良の形態を説明したが、本考案はこの形態に形態に限定されるものではない。図３−１２に示すような凹部を設けることによって、フック部が細めのハンガーも、風が強い日でも落下等せずに固定することが可能である。また、図では洗濯バサミの物干し竿を挟み込む部分の下部に空間を設けた突起部分の形状を円形で表したが、他の形状にしてもよい。
【産業上の利用分野】
【００１１】  本考案は、物干し竿等を挟み込むタイプの洗濯バサミであって、その物干し竿を挟み込む部分の下部に、洗濯物を吊り下げたハンガーを掛けておくことができる空間を設けた、ハンガー掛け付き洗濯バサミに関するものである。
【図面の簡単な説明】
【００１２】
【図１】本考案の斜視図である。
【図２】本考案の側面図である。
【図３】本考案のアレンジ型の一例である。
【図４】本考案の使用状態図である。
【符号の説明】
１０  ハンガーを掛ける為に必要な突起部分。
１１  ハンガーのフック部を掛ける為の空間。
１２  フック部が細めのハンガーを掛ける際に使用する凹部。
【図１】
0003125620.tif 000003
【図２】
0003125620.tif 000004
【図３】
0003125620.tif 000005
【図４】
0003125620.tif 000006
(57)【要約】      （修正有）【課題】初心者にも簡単に相撲のまわしが着脱できるように工夫した相撲用まわしを提供する。【解決手段】横褌と立褌とに分かれた部分をボタンで留めて一体化したまわしを腹部と背中でマジックテープ（登録商標）で留めて、腹部はまわしを対戦相手が掴んだ時にマジックテープ（登録商標）がはずれる可能性があるためにさらに横褌はずれ止め補強バンドで補強して従来の相撲用まわしの機能をもたせたまわしである。【選択図】図１
0003125613.tif 000002
【実用新案登録請求の範囲】
【請求項１】
相撲用の着脱の簡単な相撲用まわしにおいて、
（１）横褌と立褌とに分かれた部分をボタンとマジックテープ（商標登録）で留めて一体化したまわしを化学繊維で作り、
（２）横褌は従来の相撲用まわしの布の重なった厚みの感触を得る為と化学繊維が薄いのが原因でまわしを握った手を摩擦で切らない様に横褌内部に板状の樹脂心材を入れて厚みを付け、
（３）横褌にマジックテープ（商標登録）の付いた移動できる後立褌を留める後立褌取付部を付け、
（４）腰に巻いた横褌を腹部で横褌に付けているマジックテープ（商標登録）で留め、
（５）腹部から垂れる立褌を股間の下を廻して背中と背中側の横褌との間を通して、
（６）折り返した縦褌を後立褌取付部にマジックテープ（商標登録）で留め、
（７）腹部で止めたマジックテープ（商標登録）がはずれないように横褌はずれ止め補強バンドでとめる、
以上からなる相撲のまわし。
【考案の詳細な説明】
【考案の詳細な説明】
【産業上の利用分野】
【０００１】この考案は、相撲用のまわしである。
【背景技術】
【０００２】従来、本格的な１本の帯を巻いてまわしをつくるものである。
【考案が解決しようとする課題】
【０００３】従来は次のような欠点があった。
初心者には着脱が困難であった。
【問題を解決するための手段】
【０００４】本考案は、初心者にも簡単に相撲のまわしが着脱できるように工夫した相撲用まわしを提供するためのものである。
それを説明すれば、横褌と立褌とに分かれた部分をボタンとマジックテープ（商標登録）で留めて一体化したまわしを腹部と背中でマジックテープ（登録商標）で留めて、腹部はまわしを対戦相手が掴んだ時にマジックテープ（登録商標）がはずれる可能性があるためにさらに横褌はずれ止め補強バンドで補強して従来の相撲用まわしの機能をもたせたまわしである。
【作用】
【０００５】以上の構成であるため、相撲の初級者でも簡単にまわしが着脱できる。
【実用例】
【０００６】以下、本考案の実用例について説明する。
（イ）腰に巻いた横褌を腹部で横褌に付けているマジックテープ（商標登録）で留める。
（ロ）腹部から垂れている立褌を股間の下を廻して背中と背中側の横褌との間を通す。
（ハ）折り返した端を後立褌取付部にマジックテープ（商標登録）で留める。
（ニ）腹部で止めたマジックテープ（商標登録）がはずれないように横褌はずれ止め補強バンドでとめる。
【考案の効果】
【０００７】本案は以上のような機能で、これを利用することによって以下のような効果が得られる。
（イ）初心者でも相撲のまわしの着脱が簡単に出来る。
（ロ）横褌と立褌がボタンとマジックテープ（商標登録）で取り外しが出来る為に洗濯がしやすい。
（ハ）まわしの素材を化学繊維にする事によってカラフルなまわしが可能である。
【図面の簡単な説明】
【０００８】
【図１】まわしの立体図。
【図２】まわしの展開図。
【符号の説明】
【０００９】１．  横褌
２．  立褌
３．  後立褌取付部（移動式）
４．  横褌はずれ止め補強バンド
５．  横褌と立褌をとめるボタンとマジックテープ（商標登録）
６．  マジックテープ（登録商標）
【図１】
0003125613.tif 000003
【図２】
0003125613.tif 000004
(57)【要約】【課題】  病気などで髪が抜けてしまった人が、かつらを外し、人目を気にすることなく、温泉、サウナ、プールなどに入ることが可能となるバスキャップ及びスイミングキャップを提供する。【解決手段】  周縁の近傍に、おくれ毛に見立てたウィッグ２を取り付けたバスキャップ１により、周縁の近傍に、おくれ毛に見立てたウィッグを取り付けたスイミングキャップにより、課題を解決した。【選択図】図１
0003125632.tif 000002
【実用新案登録請求の範囲】
【請求項１】
周縁の近傍に、おくれ毛に見立てたウィッグを取り付けたことを特徴とするバスキャップ。
【請求項２】
周縁の近傍に、おくれ毛に見立てたウィッグを取り付けたことを特徴とするスイミングキャップ。
【考案の詳細な説明】
【技術分野】
【０００１】  本考案は、温泉、サウナ、プールなどに入るときに使用するバスキャップ及びスイミングキャップに関するものである。
【背景技術】
【０００２】  病気などで髪が抜けてしまった人は、普段はかつらを着用するが、温泉、サウナ、プールなどに行ったときは、人目が気になるため、かつらのまま入るか、タオルを巻いたりしていた。
【考案の開示】
【考案が解決しようとする課題】
【０００３】  しかしながら、かつらやタオルは、取れやすく、安心して入れなかったという問題点があった。【０００４】  また、普通のバスキャップやスイミングキャップでは、髪がないため、不自然に見えるという問題点があった。【０００５】  本考案の目的とするところは、病気などで髪が抜けてしまった人が、かつらを外し、人目を気にすることなく、温泉、サウナ、プールなどに入ることが可能となるバスキャップ及びスイミングキャップを提供することにある。
【課題を解決するための手段】
【０００６】  この考案者は、鋭意研究の結果、部分的ウィッグとバスキャップ又はスイミングキャップを一体化することにより、上記目的を達成することを見出し、本考案をするに至った。【０００７】  即ち、本考案のバスキャップは、周縁の近傍に、おくれ毛に見立てたウィッグを取り付けることを特徴とするものである。【０００８】  また、本考案のスイミングキャップは、周縁の近傍に、おくれ毛に見立てたウィッグを取り付けることを特徴とするものである。
【考案の効果】
【０００９】  本考案のバスキャップ及びスイミングキャップを用いることにより、病気などで髪が抜けてしまった人が、人目を気にせず、かつらを外して、温泉、サウナ、プールなどに入ることができるようになる。【００１０】  なお、本考案のバスキャップ及びスイミングキャップは、見た目はかなり自然で、着脱しやすく、かつ繰り返し洗って使うことが可能である。
【考案を実施するための最良の形態】
【００１１】  以下に、この考案の好適な実施形態を添付図面に基づいて説明する。本考案のバスキャップ１は、例えば、図１に示すように、市販のバスキャップの周縁から中心方向に５ｃｍ位の場所に、長さ５ｃｍ程度の帯状のウィッグ２を、円を描くようにぐるりと縫い付けた後、テープで固定し、毛を梳いて、おくれ毛の様にカットすることにより、製造することができる。【００１２】  なお、本考案のスイミングキャップも、上述したように製造することができる。即ち、例えば、市販のスイミングキャップの周縁から中心方向に６ｃｍ位の場所に、長さ６ｃｍ程度の帯状のウィッグを、円を描くようにぐるりと縫い付けた後、テープで固定し、毛を梳いて、おくれ毛の様にカットすることにより、製造することができる。
【図面の簡単な説明】
【００１３】
【図１】  本考案のバスキャップの一例を示す図である。
【符号の説明】
【００１４】    １    キャップ本体
２    ウィッグ
【図１】
0003125632.tif 000003
(57)【要約】      （修正有）【課題】本考案は持ち運びが容易な三脚スタンド式燃焼容器としたフレイムポットで、野外で灯火や炎により夕暮れの癒し効果が倍増できる。【解決手段】本考案は伸縮自在の三脚スタンド１に鉄製の燃焼容器２をジョイント３で接続し、使用する個人の嗜好に合わせて高さ調節が可能としたフレイムポットであり、野外で夕暮れ時の灯火や炎による癒し効果を倍増しアウトドアを楽しむ事ができる。【選択図】図１
0003125640.tif 000002
【実用新案登録請求の範囲】
【請求項１】
主目的を夕暮れの情感から生まれる癒し効果の倍増とし、虫除けキャンドルや牧を燃焼させ炎を楽しむフレイムポットにおいて、伸縮を可能とした三脚スタンドの上部に円錐型などの形状をした鉄製の燃焼容器を着脱可能式で取り付けた、安定性があり持ち運びを便利にした事を特徴としたフレイムポット。
【考案の詳細な説明】
【技術分野】
【０００１】
本考案は、伸縮自在の三脚スタンドに鉄製の燃焼容器を着脱可能式で取り付けたフレイムポットに関するものである。
【背景技術】
【０００２】
従来リゾートホテルやレストランなどの集客施設で、癒しの情景つくりの一環として天然ガスなどを燃焼させる器具は存在しているが、固定式であり容易に個人レベルで活用できる構造ではない。また類似分野の焚き火台は比較的大きい牧を対象としたもので目的が異なる事と、地面に接近した位置で使用するために熱影響で地面の植物や地中微生物に対して優しくない要素があり自然環境保護の面から使用環境が制限される。
【考案の開示】
【考案が解決しようとする課題】
【０００３】
アウトドアライフで夕暮れのひとときを灯火や炎により癒しの効果を増幅できる。しかし固定式の天然ガスなどの燃焼器具は個人的な活用が困難であり、また類似分野の焚き火台は比較的大きい牧を対象としたもので目的が異なる。そこで持ち運びを容易にすることと熱による地面への悪影響を解消するために、伸縮自在の三脚スタンドに着脱が可能な鉄製の燃焼容器を取り付け、虫除けキャンドル、固形燃料、又は短小な牧などを燃焼材料とし前述の問題点を解決するものである
【課題を解決するための手段】
【０００４】
本考案は、伸縮自在な三脚スタンドの上部に鉄製の燃焼容器を取り付けた構造とした事で、持ち運びが容易となり地面にも優しい高さ位置での灯火や炎を楽しむことを実現し問題を解決している。
【考案の効果】
【０００５】
本考案のフレイムポットで、上述の如く夕暮れの灯火や炎で癒しのひとときを演出するアウトドアを楽しむことができる。本考案のフレイムポットはベイシックなアウトドアで多くの人々の心をリセットできる。再生サイクルで無限の資源と言われている木材などを材料に炎を演出できる
【考案を実施するための最良の形態】
【０００６】
アルミ合金製の伸縮自在の三脚スタンドの上部に鉄製の燃焼容器を着脱可能式で取り付け、持ち運びを容易に且つ個人の嗜好に関わる高さ調節が可能な構造とした。
【実施例】
【０００７】
以下添付図面にしたがって実施例を説明する。１はアルミ合金製の伸縮自在三脚スタンド。２は鉄製の燃焼容器。３は１と２を接続するジョイント。
【図面の簡単な説明】
【０００８】
【図１】本考案のフレイムポットの実施例を示す斜視図である。（実施例１）
【符号の説明】
【０００９】
１    三脚スタンド
２    燃焼容器
３    ジョイント
【図１】
0003125640.tif 000003
(57)【要約】      （修正有）【課題】抜け毛除去の効率を高め、同時に抜け毛の飛散を大幅に低減するとともに、掃除機などの吸引力に依存しないことにより、電源のないところでも気軽に使用できるブラシを提供する。【解決手段】ブラシ本体に設置された、ゴムなど弾性樹脂製のブラシが抜け毛を引き出し、その直後に金属や樹脂製のブラシが抜け毛を絡め捕る構造を特徴とする。【選択図】図１
0003125635.tif 000002
【実用新案登録請求の範囲】
【請求項１】
ブラシ本体の同一面上に、摩擦力が大きな多数の弾性樹脂製突起からなるブラシ部分と、金属もしくは樹脂の多数の細線からなるブラシ部分が、隣接して配置されることを特徴とする抜け毛除去用ブラシ。
【請求項２】
請求項１の２種のブラシ部分は、摩擦力が大きな多数の弾性樹脂製突起からなるブラシ部分が先に、金属もしくは樹脂の多数の細線からなるブラシ部分が後に毛をすくように配置されることを特徴とする抜け毛除去用ブラシ。
【考案の詳細な説明】
【技術分野】
【０００１】  本考案は抜け毛除去用ブラシに関し、特にペットなどの抜け毛除去に用いられるブラシに関するものである。
【技術背景】
【０００２】  現在、様々な形状、機能を持ったブラシがペットなどの抜け毛除去用として販売、使用されている。それらは、ゴムなど弾性樹脂製、金属などの細線からなる製品、掃除機などの吸引装置の吸引力に依存した製品に大別される。
【０００３】  しかしながら、ゴムなど弾性樹脂製の製品は抜け毛除去効果には優れるが、ブラシの間隔が疎であるため毛の飛散量が多い。金属などの細線からなる製品は飛散量が少ない反面、ブラシ部材の摩擦抵抗が少ないため抜け毛除去効果が弱い。また、掃除機などの吸引装置に依存したものは抜け毛の飛散に関しては有効ではあるが、電源が必要であり準備が煩雑なこと、また対象がペットの場合、ペットがその吸引力、音に恐怖感を抱くことにより円滑な使用ができなくなるという問題を有する。
【０００４】  なお、本願発案に関連する公知技術として次の文献を挙げることができる。
【０００５】
【特許文献１】  特開２００５−８７６８９号広報
【特許文献２】  特開平９−６５７９０号広報
【発案の開示】
【発明が解決しようとする課題】
【０００６】  上記のごとく、従来のブラシでは、高い抜け毛除去効果と飛散の防止を、吸引装置に依存せず、同時に実現することは難しい。
【０００７】  このため、抜け毛除去作業の際には何種類ものブラシや清掃器具を併用せざるをえず、作業が煩雑なものになるのみならず、特に室内の飛散毛は衛生、健康面において深刻な問題である。
【０００８】  本考案はこのような点に鑑みて成されたものであり、ブラシの部材を機能的に組み合わせることにより、抜け毛除去の効率を高め、同時に抜け毛の飛散を大幅に低減し、且つ吸引装置に依存せず、電源のない場所でも使用できるブラシを提供することを目的としている。
【課題を解決する手段】
【０００９】  上記目的を解決する本考案のブラシは、本体の同一面上に、除毛効果の高い弾性樹脂製突起からなるブラシ部分と、集毛効果の高い金属ないし樹脂の多数の細線からなるブラシ部分を有し、前記ブラシ部分は、弾性樹脂製突起、細線の順番で毛をすくように隣接して配置されることを特徴とする。
【考案の効果】
【００１０】  これにより、抜け毛は弾性樹脂製突起により引き出され、その直後に、細線からなるブラシにより絡め捕られるため、抜け毛の飛散は大幅に低減される。
【００１１】  本考案のブラシは除毛と集毛をひとつのブラシで行うことができるため、作業時間が大幅に短縮されるとともに、作業自体が簡便なものとなる。
【００１２】  本考案のブラシは吸引装置に依存しないため、ペットにも恐怖感を与えずに使用することができる。また、電源のない場所でも使用することができる。
【考案を実施するための最良の形態】
【００１３】  以下、本考案の実施の形態を図面に基づき説明する。【００１４】  図１は本考案の外観斜面図であり、図２は外観側面図、図３はハンドル４を設けない実施例の外観斜面図である。【００１５】  図１、図２に示すように、本体１に弾性樹脂製突起からなるブラシ２と、金属もしくは樹脂の細線からなるブラシ部分３は、同一面上に隣接して配置される。【００１６】  本考案のブラシは使用時に、樹脂製突起、細線の順に毛をすくようにブラシを動かすことが望ましい。この方向を明確にし、自然に正しい方向にブラシを向けることができるように、図１、図２に示すハンドル４を設ける。【００１７】  図３に示すように、ハンドルを設けない場合は、矢印５のようなマーク、刻印により、使用方向を明確に示すことが望ましい。【００１８】  以上、本考案の実施の形態を説明したが、本考案の範囲はこれに限定されるものではない。例えば、ブラシ本体の形状や大きさ、樹脂製突起、細線からなるブラシの数は、使用する対象に応じて適切に変更されるものである。
【図面の簡単な説明】
【図１】ブラシの実施例を示した斜面図である。
【図２】ブラシの実施例を示した側面図である。
【図３】ブラシにハンドルを設けない場合の斜面図である。
【符号の説明】
１ブラシ本体
２弾性樹脂製突起からなるブラシ
３金属もしくは樹脂の細線からなるブラシ
４ハンドル
５ハンドルを設けないブラシ本体
６使用方向を示す矢印
【図１】
0003125635.tif 000003
【図２】
0003125635.tif 000004
【図３】
0003125635.tif 000005
(57)【要約】【課題】オール１の中心に貫通穴をあけ、これに鉄パイプを挿入しオールの強度を強くした。【解決手段】手漕ぎボートのオール１の中心に貫通穴２をあけ、これに鉄パイプを通す。【選択図】図２
0003125634.tif 000002
【実用新案登録請求の範囲】
【請求項１】
オール１の丸棒の中心に丸穴２を貫通し，この貫通穴２に鉄パイプ３を挿入しオール。
【考案の詳細な説明】
【技術分野】
【０００１】オールの折損が無くなりボートの操作が安全になった。
【背景技術】
【０００２】木製のオールの為オールへの水抵抗に対する耐久性がない。
【考案の開示】
【考案が解決しようとする課題】
【０００３】オールの水抵抗による耐久性を強くし、オールの折損を無くす。
【課題を解決するための手段】
【０００４】オール１の中心に貫通穴２をあけ，この穴に鉄パイプ３を挿入した。
【考案の効果】
【０００５】オール１の強度は強くなりオールの折損はなくなつた。
【実施例】
【０００６】オール１の中心に丸穴２を貫通し，この中に鉄パイプを挿入する。
【図面の簡単な説明】
【０００７】
【図１】鉄パイプをオール１に挿入したオールの外観図。
【図２】オール１の本体の断面図。
【図３】オール１のＡ−Ａ’の断面図。
【符号の説明】
【０００８】１．オール
２．貫通穴
３．鉄パイプ
４．キヤップ
５．ピボット
６．パドル
【図１】
0003125634.tif 000003
【図２】
0003125634.tif 000004
【図３】
0003125634.tif 000005
(57)【要約】【課題】  軸受の寿命を延ばし、かつ、軸受のハウジングに対する取り付け位置が変動しない歯車ポンプ又はモータを提供する。【解決手段】  ケーシングを構成するフロントカバー４内に設けた孔に互いに噛合状態で収容される一対の歯車１１、１２と、両歯車１１、１２をケーシングのフロントカバー４に形成したハウジング２３に嵌め込まれた軸受２１に軸承させる歯車軸３を具備した歯車ポンプ又はモータであり、軸受２１が嵌め込まれるハウジング２３は、歯車１１、１２側から遠ざかるにつれてその内径が狭まるテーパ形状で形成されている。【選択図】        図３
0003125540.tif 000002
【実用新案登録請求の範囲】
【請求項１】
ケーシング内に設けた孔に互いに噛合状態で収容される一対の歯車と、前記両歯車をケーシングに形成したハウジングに嵌め込まれた軸受に軸承させる歯車軸及び従動軸とを具備した歯車ポンプ又はモータにおいて、前記軸受が嵌め込まれるハウジングは、歯車側から遠ざかるにつれてその内径が狭まるテーパ形状で形成されたことを特徴とする歯車ポンプ又はモータ。
【考案の詳細な説明】
【技術分野】
【０００１】
本考案は、産業機械をはじめとして、種々の機械に油圧源等として利用可能な歯車ポンプ又はモータに関するものである。
【背景技術】
【０００２】
通常の歯車ポンプ又はモータでは、図４に示したように、ケーシングにおけるフロントカバーやリアカバーに形成された軸受２１のハウジング２３は円筒であり、液圧力が作用したとき、歯車軸３に作用する軸荷重を軸線に平行な軸受２１で支えている。この場合、歯車軸３が撓むことで軸受２１の口元（歯車側）２２に軸荷重が集中していた。
【０００３】
また、このような歯車ポンプ又はモータにおいて、ハウジング２３の内径は、口元２２から奥側（フロント又はリア方向）まで一定であり、軸受２１に対するハウジング２３の一定の締め代（軸受を圧入する際にハウジングが圧縮される厚さ）で軸方向の位置を保っている。
【考案の開示】
【考案が解決しようとする課題】
【０００４】
従来の歯車ポンプ又はモータでは、液圧力が作用したとき歯車軸３がたわむと、軸荷重が軸受２１の口元２２に集中し、口元２２のみが磨耗しやすく、軸受寿命に悪影響を及ぼしていた。
【０００５】
また、口元２２から奥側まで一定の締め代で軸方向の位置を保っていたので、ハウジング２３が温度上昇して、軸受２１に対する締め代が小さくなると、軸受２１に対して軸方向の外力が加わった時、軸受２１が奥方向に動いてずれてしまうことがあった。
【０００６】
本考案は、上記課題を解決し、軸受の寿命を延ばし、かつ、軸受のハウジングに対する取り付け位置が変動しない歯車ポンプ又はモータを提供する。
【課題を解決するための手段】
【０００７】
本考案は、ケーシング内に設けた孔に互いに噛合状態で収容される一対の歯車と、両歯車をケーシングに形成したハウジングに嵌め込まれた軸受に軸承させる歯車軸及び従動軸とを具備した歯車ポンプ又はモータにおいて、軸受が嵌め込まれるハウジングは、歯車側から遠ざかるにつれてその内径が狭まるテーパ形状で形成されたことを特徴とする歯車ポンプ又はモータである。
【考案の効果】
【０００８】
本考案では、軸受が嵌め込まれるハウジングは、歯車側から遠ざかるにつれてその内径が狭まるテーパ形状で形成されているので、液圧力が作用して歯車軸がたわんでも、軸荷重が軸受の口元に集中することがないので、磨耗が抑制され、軸受寿命が延びる。しかも、ハウジングはそのようなテーパ形状であるので、ハウジングが温度上昇して軸受に対する締め代が小さくなっても、軸受が奥方向に動いてずれてしまうことはない。ひいては、軸受の負荷容量を上げることができ、歯車ポンプ又はモータの高圧化やコンパクト化が可能となる。
【考案を実施するための最良の形態】
【０００９】
以下に、本実施例の歯車ポンプ又はモータについて、図１〜３を用いて述べる。本実施例の歯車ポンプ又はモータは、ボディ１の内周に形成した眼鏡孔２に互いに噛合状態で収容される一対の歯車１１、１２と、それら歯車１１、１２が歯車軸３に軸支されて同期逆回転駆動された際に歯同士が漸次離反する位置に開口する低圧部５３および漸次噛合する位置に開口する高圧部５４と、ボディ１の一方の開口端面を蓋封するフロントカバー４（リアカバー６）と、このフロントカバー４に設けられ高圧部５４及び低圧部５３にそれぞれ連通して油の吸排を行う高圧ポート５６及び低圧ポート５５とを具備してなる。そして、低圧ポート５５から低圧部５３に吸い込んだ油をポンプ作用によって高圧部５４に移送し、高圧ポート５６から吐出する作用を営む。
【００１０】
特に本実施例では、図３で示すように、組み立て時に、軸受２１は、口元２２（歯車１１側）から遠ざかる方向に向けてその内径が狭まるテーパ形状で、ケーシングにおけるフロントカバー４（リアカバー６）に形成されたハウジング２３に圧入され、この際、軸受２１は圧縮作用を受けて、ハウジング２３と同様に、歯車１１側から遠ざかる方向に向けてその内径が狭まるテーパ形状となる。
【００１１】
このような歯車ポンプ又はモータを、歯車ポンプとして使用するために駆動すると、周知の歯車ポンプと同様に、低圧ポート５５から低圧部５３に吸い込んだ油をポンプ作用によって高圧部５４に移送し、高圧ポート５６から吐出する作用を営む。このとき、高圧部５４と低圧部５６との差圧（液圧力）が歯車に作用し、歯車軸３が撓む。
【００１２】
ところが、図３に示すように、軸受２１はテーパ形状となっており、歯車軸３が撓む際、従来のように軸受２１の口元２２のみで歯車軸３が接触するのではなく、軸受２１の広い範囲で接触する。したがって、歯車軸３が撓んだときの軸荷重が口元２２に集中することがなくなり、ひいては部分的な磨耗を抑制できるので、軸受寿命を延ばすことができる。
【００１３】
また、ケーシングであるフロントカバー４（リアカバー６）における軸受２１のハウジング２３は、歯車側から遠ざかる方向に向けてその内径が狭まるテーパ形状で形成されているので、ハウジング２３が温度上昇して軸受２１に対する締め代が小さくなっても、軸受２１が奥方向に動いてずれてしまうことが抑制される。
【図面の簡単な説明】
【００１４】
【図１】本実施例の歯車ポンプ又はモータを示した図
【図２】本実施例の歯車ポンプ又はモータのフロントカバーを示した図
【図３】本実施例の軸受付近の拡大図
【図４】従来の軸受の断面を示した図
【符号の説明】
【００１５】
３  歯車軸
４  フロントカバー
１１、１２  歯車
２１  軸受
２３  ハウジング
【図１】
0003125540.tif 000003
【図２】
0003125540.tif 000004
【図３】
0003125540.tif 000005
【図４】
0003125540.tif 000006